(57)【特許請求の範囲】
【請求項１】
少なくとも１セグメントからなる複数系統の放送トランスポートストリームの単位送信波からそれぞれＯＦＤＭ（Orthogonal Frequency Division Multiplexing）フレーム構造のＯＦＤＭ信号を生成する複数のＯＦＤＭ信号生成部と、
前記複数のＯＦＤＭ信号生成部で生成された複数の単位送信波のＯＦＤＭ信号をそれぞれの基準フレームの先頭がずれた状態で連結させて一つの連結ＯＦＤＭ信号を生成する連結処理部と
を具備し、
前記複数のＯＦＤＭ信号生成部は、それぞれフレーム内の予め決められた位置に特定の位相を持つパイロット信号を配置し、
前記連結処理部は、前記複数の単位送信波のＯＦＤＭ信号を、それぞれ周波数が高い方の隣接の単位送信波との間で、互いのパイロット信号の位置及び位相がずらす前後で一致するようにずらすことを特徴とする連結送信システム。
【請求項２】
さらに、
前記連結ＯＦＤＭ信号を一括して逆フーリエ変換する逆フーリエ変換部と、
前記逆フーリエ変換された連結ＯＦＤＭ信号にガードインターバルを付加するガードインターバル付加部と、
前記ガードインターバルが付加された連結ＯＦＤＭ信号から規定のベースバンドによる連結送信波信号を生成する連結送信波生成部と
を備えることを特徴とする請求項１記載の連結送信システム。
【請求項３】
前記連結処理部は、前記複数系統の単位送信波がＩＳＤＢ−ＴｍｍまたはＩＳＤＢ−Ｔｓｂ方式に準拠しているとき、前記複数系統の単位送信波のＯＦＤＭ信号について、ＴＭＣＣ同期ワードがW0となるフレームの先頭シンボルを８の倍数のシンボル分ずらすことを特徴とする請求項１記載の連結送信システム。
【請求項４】
少なくとも１セグメントからなる複数系統の放送トランスポートストリームの単位送信波からそれぞれＯＦＤＭ（Orthogonal Frequency Division Multiplexing）フレーム構造のＯＦＤＭ信号を生成し、
前記複数系統の単位送信波のＯＦＤＭ信号をそれぞれの基準フレームの先頭がずれた状態で連結させて一つの連結ＯＦＤＭ信号を生成する連結送信方法であって、
前記ＯＦＤＭ信号の生成では、それぞれのフレーム内の予め決められた位置に特定の位相を持つパイロット信号を配置し、
前記連結ＯＦＤＭ信号の生成では、前記複数の単位送信波のＯＦＤＭ信号を、それぞれ周波数が高い方の隣接の単位送信波との間で互いのパイロット信号の位置及び位相がずらす前後で一致するようにずらすことを特徴とする連結送信方法。
【請求項５】
さらに、
前記連結ＯＦＤＭ信号を一括して逆フーリエ変換し、
前記逆フーリエ変換された連結ＯＦＤＭ信号にガードインターバルを付加し、
前記ガードインターバルが付加された連結ＯＦＤＭ信号から規定のベースバンドによる連結送信波信号を生成することを特徴とする請求項４記載の連結送信方法。
【請求項６】
前記連結ＯＦＤＭ信号の生成は、前記複数系統の単位送信波がＩＳＤＢ−ＴｍｍまたはＩＳＤＢ−Ｔｓｂ方式に準拠しているとき、前記複数系統の単位送信波のＯＦＤＭ信号について、ＴＭＣＣ同期ワードがW0となるフレームの先頭シンボルを８の倍数のシンボル分ずらすことを特徴とする請求項４記載の連結送信方法。
【発明の詳細な説明】
【技術分野】
【０００１】
本発明の実施形態は、複数の放送ＴＳを連結してＯＦＤＭ（Orthogonal Frequency Division Multiplexing：直交周波数分割多重）方式により変調して送信する連結送信システム及び連結送信方法に関する。
【背景技術】
【０００２】
２０１１年以降予定されている「携帯端末向けマルチメディア放送」の放送方式（マルチメディアモバイル放送規格：ＡＲＩＢ  ＳＴＤ−Ｂ４６）の技術条件を満たすシステムとして、ＩＳＤＢ−ＴｍｍまたはＩＳＤＢ−Ｔｓｂ方式が提案されている。両方式ともＩＳＤＢ−Ｔをベースとした方式であり、その特徴として、地上デジタルテレビジョン放送の伝送方式規格（ＡＲＩＢ  ＳＴＤ−Ｂ３１）の１３セグメントの送信波、地上デジタル音声放送の伝送方式規格（ＡＲＩＢ  ＳＴＤ−Ｂ２９）の１セグメント、或いは３セグメントの送信波を単位送信波とし、それらをガードバンドなしに周波数軸上に並べて送信する連結送信が可能であり、周波数の有効利用を図ることができる。連結送信の実現方法として、連結信号に対して一括してＩＦＦＴ処理を行い、ＯＦＤＭ信号を生成することが考えられる。
【０００３】
一方で、使用エネルギーの削減、経済性等の観点から、放送を休止する際には送信を停波することが望まれるが、連結送信の場合、隣接単位送信波を共有していることから、連結送信波の単位で停波させることは難しい。そのため、ある単位送信波を放送休止させる場合、放送する情報がなくても、それに代わるダミーデータを生成し（多くの場合、そのダミーデータはＭＰＥＧ２−ＮＵＬＬ  Ｐａｃｋｅｔ）、それを伝送路符号化処理し継続して送信する。この際、複数の放送休止の単位送信波がある場合、通常の放送波に比べてピーク振幅が高い信号の発生確率が高くなり、送信している機材に影響を及ぼすことが知られている。
【０００４】
これは、先に説明した放送の情報の代わりに挿入するＮＵＬＬ  Ｐａｃｋｅｔが、各単位送信波で同じデータの値をとることが原因である。単位送信波単位では、いかなるデータが入力されても、十分なデータのランダム性を維持するためエネルギー拡散処理が行われている。しかしながら、連結の単位となる単位送信波同士が同じ伝送パラメータの場合、同じ信号処理を行うため、同じ信号が入力されると同じ出力信号となり、同位相で加算されるためピーク振幅が高くなってしまう。
【先行技術文献】
【特許文献】
【０００５】
【特許文献１】特開２００９−１６９２３号公報
【発明の概要】
【発明が解決しようとする課題】
【０００６】
本実施形態の目的は、連結送信時のピーク振幅の増加を抑制することができる連結送信システム及び連結送信方法を提供することにある。
【課題を解決するための手段】
【０００７】
本実施形態に係る連結送信システムは、少なくとも１セグメントからなる複数系統の放送トランスポートストリームの単位送信波からそれぞれＯＦＤＭ（Orthogonal Frequency Division Multiplexing）フレーム構造のＯＦＤＭ信号を生成する複数のＯＦＤＭ信号生成部と、前記複数のＯＦＤＭ信号生成部で生成された複数の単位送信波のＯＦＤＭ信号をそれぞれの基準フレームの先頭がずれた状態で連結させて一つの連結ＯＦＤＭ信号を生成する連結処理部とを具備し、前記複数のＯＦＤＭ信号生成部は、それぞれフレーム内の予め決められた位置に特定の位相を持つパイロット信号を配置し、前記連結処理部は、前記複数の単位送信波のＯＦＤＭ信号を、それぞれ周波数が高い方の隣接の単位送信波との間で、互いのパイロット信号の位置及び位相がずらす前後で一致するようにずらすようにした態様とする。
【０００８】
また、本実施形態に係る連結送信方法は、少なくとも１セグメントからなる複数系統の放送トランスポートストリームの単位送信波からそれぞれＯＦＤＭ（Orthogonal Frequency Division Multiplexing）フレーム構造のＯＦＤＭ信号を生成し、前記複数系統の単位送信波のＯＦＤＭ信号をそれぞれの基準フレームの先頭がずれた状態で連結させて一つの連結ＯＦＤＭ信号を生成する連結送信方法であって、前記ＯＦＤＭ信号の生成では、それぞれのフレーム内の予め決められた位置に特定の位相を持つパイロット信号を配置し、前記連結ＯＦＤＭ信号の生成では、前記複数の単位送信波のＯＦＤＭ信号を、それぞれ周波数が高い方の隣接の単位送信波との間で互いのパイロット信号の位置及び位相がずらす前後で一致するようにずらすようにした態様とする。
【図面の簡単な説明】
【０００９】
【図１】本実施形態に係る連結送信システムの構成例を示すブロック図。
【図２】本実施形態に係る連結送信システムの連結フレーム構成処理部の動作について、既存の連結送信の場合を示す図。
【図３】本実施形態に係る連結送信システムの連結フレーム構成処理部の動作について、実施形態の連結送信の場合を示す図。
【発明を実施するための形態】
【００１０】
以下、図面を参照しながら本実施形態に係る連結送信システム及び連結送信方法を説明する。
【００１１】
図１は、本実施形態に係る連結送信システムの構成例を示すブロック図である。なお、図１は、連結送信数Ｎの場合の例を示している。
【００１２】
この連結送信システムは、ＯＦＤＭ信号生成部１１−１〜１１−Ｎと、タイミング信号生成部１２と、連結処理部１３と、一括ＩＦＦＴ処理部１４と、ガードインターバル付加部１５と、連結送信波生成部１６とを備える。
【００１３】
先ず、ＯＦＤＭ信号生成部１１−１〜１１−Ｎは、それぞれ対応する単位送信波ＴＳ１〜ＴＳＮを取り込んで伝送路符号化処理を施すと共に、フレーム内の予め決められた位置に特定の位相を持つパイロット信号を配置することで、ＯＦＤＭフレーム構造のＯＦＤＭ信号を生成する。各ＯＦＤＭ信号生成部１５−１〜１５−Ｎには、タイミング発生部１９で発生されるタイミング信号が遅延器Ｄ１−ＤＮによって順に一定時間ずつ遅延されて与えられ、ＯＦＤＭ信号生成部１１−１〜１１−Ｎはそれぞれ与えられたタイミング信号でＯＦＤＭフレームの先頭位置を決定して出力する。遅延器Ｄ１−ＤＮそれぞれの遅延時間の差は、単位送信波ＴＳの伝送シンボルの８の倍数の個数を伝送する時間に相当する。したがって、各ＯＦＤＭ信号生成部１１−１〜１１−Ｎから出力されるＯＦＤＭ信号のフレームは伝送シンボルの８の倍数の個数分ずつずれている。
【００１４】
各ＯＦＤＭ信号生成部１１−１〜１１−Ｎで生成された単位送信波のＯＦＤＭ信号は共に連結処理部１３に送られる。
【００１５】
この連結処理部１３は、入力されるＮ系統の単位送信波のＯＦＤＭ信号（それぞれのフレーム先頭は互いに８の倍数の個数のシンボル数分ずつずれている）を連結するもので、連結されたＯＦＤＭ信号は一括ＩＦＦＴ（逆フーリエ変換）処理部１４で一括してＩＦＦＴ処理された後、ガードインターバル付加部１５でガードインターバルが付加された後、連結送信波成部１６で規定のベースバンドによる連結送信波信号に変換される。
【００１６】
次に、図２及び図３を参照して、本実施形態の特徴となる連結処理部１３の処理動作について説明する。図２は既存の連結送信の場合、図３は本実施形態の連結送信の場合のＮ系統の単位送信波のＯＦＤＭ信号のフレーム構成例を示している。
【００１７】
連結処理部１３において、既存の連結送信では、図２に示すように、連結送信時の各単位送信波は、ＴＭＣＣ同期ワードがW0となるフレームの先頭シンボル（図２の連結送信ＯＦＤＭシンボル０の位置）が一致する。図２は単位送信波が３波のケースを示している。この場合、各単位送信波のＴＳデータが同じで伝送パラメータが同じの場合、全く同じ信号が合成されることになってしまい、ピーク振幅が高い信号の発生確率が高くなる。
【００１８】
これに対し、本実施形態による連結送信では、図３に示すように、ＴＭＣＣ同期ワードがW0となるフレームの先頭シンボルが単位送信波ごとに異なる。このため、各単位送信波のＴＳデータが同じで伝送パラメータが同じであっても、互いに異なる信号が合成されることになり、ピーク振幅が高い信号の発生確率の増加を防ぐことが可能となる。また、周波数が高い方の隣接の単位送信波との間で、互いのパイロット信号の位置及び位相がずらす前後で一致するように、各単位送信波のＯＦＤＭ信号のフレーム先頭をずらす（具体的には、図３に示すように、各単位送信波の先頭シンボルを８の倍数のシンボル分ずらす）ことで、各単位送信波間で共用するパイロットの位相補償が既存の連結送信方式と同様に行うことが可能となる。これにより、受信側の受信処理に影響を与えないようにすることができる。
【００１９】
したがって、上記実施形態による連結送信システムによれば、複数の放送休止の単位送信波がある場合でも、連結送信時のピーク振幅の増加を抑制することが可能となる。
【００２０】
尚、上記実施形態はそのままに限定されるものではなく、実施段階ではその要旨を逸脱しない範囲で構成要素を変形して具体化できる。また、上記実施形態に開示されている複数の構成要素の適宜な組み合わせでもよい。例えば、実施形態に示される全構成要素から幾つかの構成要素を削除してもよい。さらに、異なる実施形態にわたる構成要素を適宜組み合わせてもよい。
【符号の説明】
【００２１】
１１−１〜１１−Ｎ…ＯＦＤＭ信号生成部、１２…タイミング信号生成部、１３…連結処理部、１４…一括ＩＦＦＴ処理部、１５…ガードインターバル付加部、１６…連結送信波生成部。
【図１】
0005284500.tif 000002
【図２】
0005284500.tif 000003
【図３】
0005284500.tif 000004